(57)【要約】【課題】体積が小さい梱包ユニットを提供する。【解決手段】梱包ユニット２０は積み重ねられる梱包材を有し、梱包材は、第１方向で互いに反対側にある第１面部と第２面部と、第２方向で互いに反対側にある第３面部と第４面部とを有する。第１種別の各段２０Ａの梱包材２１について第３面部２１ｃ及び第４面部２１ｄは、第２種別の段２０Ｂの第３面部２２ｃ、第４面部２２ｄで構成される第３仮想面ＰＶ３と第４仮想面ＰＶ４との間に配置され、第２種別の各段２０Ｂの梱包材２２について第１面部２２ａ及び第２面部２２ｂは、第１種別の段２０Ａの第１面部２１ａ、第２面部２１ｂで構成される第１仮想面ＰＶ１と第２仮想面ＰＶ２との間に配置される。第１種別の第３面部２１ｃ及び第４面部２１ｄ、第２種別の第１面部２２ａ及び第２面部２２ｂのうち少なくとも１つは第１仮想面ＰＶ１〜第４仮想面ＰＶ４のうち最も近い仮想面よりも内側に配置される。【選択図】図２
2018030613.tif 000002
【特許請求の範囲】
【請求項１】
積み重ねられて各段の梱包材が互いに係合する梱包ユニットであって、
前記各段は、第１種別の段と、第２種別の段とに種別され、
前記各段の梱包材は、積重ね方向に垂直に交差する第１方向で互いに反対の位置にありかつ最も外側に位置する第１面部及び第２面部と、積重ね方向と前記第１方向とに垂直な第２方向で互いに反対の位置にあり最も外側に位置する第３面部及び第４面部とを有し、
前記第１種別の段の梱包材について、前記第３面部及び前記第４面部は、前記第２種別の各段の梱包材の最も外側の前記第３面部を含む第３仮想面と最も外側の前記第４面部を含む第４仮想面との間に配置され、
前記第２種別の段の梱包材について、前記第１面部及び前記第２面部は、前記第１種別の各段の梱包材の最も外側の前記第１面部を含む第１仮想面と最も外側の前記第２面部を含む第２仮想面との間に配置され、
前記第１種別の段の梱包材の前記第３面部及び前記第４面部、並びに、前記第２種別の段の梱包材の前記第１面部及び前記第２面部のうち少なくとも１つは、前記第１仮想面〜第４仮想面のうち最も近い仮想面よりも内側に配置される、梱包ユニット。
【請求項２】
前記第１種別の段の数は２以上であり、
前記梱包材の積み重ね状態で、前記第１種別の各段の梱包材のうち最も外側の少なくとも２つの前記第１面部は面一に配置され、前記第１種別の各段の梱包材のうち最も外側の少なくとも２つの前記第２面部は面一に配置される
請求項１に記載の梱包ユニット。
【請求項３】
前記第２種別の段の数は２以上であり、
前記梱包材の積み重ね状態で、前記第２種別の各段の梱包材のうち最も外側の少なくとも２つの前記第３面部は面一に配置され、前記第２種別の各段の梱包材のうち最も外側の少なくとも２つの前記第４面部は面一に配置される
請求項２に記載の梱包ユニット。
【請求項４】
最下段の前記梱包材の前記第１面部〜前記第４面部は前記第１仮想面〜前記第４仮想面にそれぞれ面一である
請求項１〜請求項３のいずれか一項に記載の梱包ユニット。
【請求項５】
前記各段の梱包材は、複数の梱包部材を備え、
前記各段の梱包部材の個数は同数であり、
前記各段の複数の梱包部材の配置関係は同じである
請求項１〜請求項４のいずれか一項に記載の梱包ユニット。
【請求項６】
少なくとも１つの段において前記梱包材を構成する複数の梱包部材は、同一構造を有する
請求項５に記載の梱包ユニット。
【請求項７】
少なくとも１つの段において前記梱包材は、同一構造の２つまたは４つの梱包部材により構成され、
前記２つまたは４つの梱包部材は、２つで１組とされて、１組の２つの梱包部材は互いに反対の向きに配置される
請求項６に記載の梱包ユニット。
【請求項８】
前記１組の２つの前記梱包部材それぞれは、並び方向に交差する方向で位置決めする位置決め部を有する
請求項７に記載の梱包ユニット。
【請求項９】
前記梱包部材は、梱包品を収容する２つの収容部と、前記２つの収容部を繋げる１つの連結部とを有し、
前記２つの収容部と前記連結部とは、一方の前記収容部と前記連結部との並び方向と、他方の前記収容部と前記連結部との並び方向とが交差するように配置される
請求項５〜請求項８のいずれか一項に記載の梱包ユニット。
【請求項１０】
前記各段の同じ配置にある複数の前記梱包部材は１列に積み重ねられ、
１列に積み重ねられた各梱包部材は互いに係合する
請求項５〜請求項９のいずれか一項に記載の梱包ユニット。
【請求項１１】
前記梱包材は３段に積み重ねられ、
各段の前記梱包材は、４つ同一構造の前記梱包部材により構成され、
前記各段で同じ配置にある３個の前記梱包部材は、１列に積み重ねられてサブユニットを構成し、
下から数えて第１段と第３段とが第１種別の段に種別され、第２段が、第２種別の段に種別され、
前記第１段及び前記第３段それぞれの前記梱包部材の第１面部は、面一であり、前記第１仮想面を構成し、
前記第１段及び前記第３段それぞれの前記梱包部材の第２面部は、面一であり、前記第２仮想面を構成し、
前記第１段及び前記第２段それぞれの前記梱包部材の第３面部は、面一であり、前記第３仮想面を構成し、
前記第１段及び前記第２段それぞれの前記梱包部材の第４面部は、面一であり、前記第４仮想面を構成し、
前記第２段の前記梱包部材の第１面部と第２面部とは、前記第１仮想面よりも内側かつ前記第２仮想面よりも内側に配置され、
前記第３段の前記梱包部材の第３面部と第４面部とは、前記第３仮想面よりも内側かつ前記第４仮想面よりも内側に配置される
請求項５に記載の梱包ユニット。
【請求項１２】
積み重ねられた前記梱包材を収容するケースを更に備え、
前記ケースは、
前記第１仮想面を構成する前記第１面部に接触可能な第１面と、
前記第２仮想面を構成する前記第２面部に接触可能な第２面と、
前記第３仮想面を構成する前記第３面部に接触可能な第３面と、
前記第４仮想面を構成する前記第４面部に接触可能な第４面とを有する
請求項１〜請求項１１のいずれか一項に記載の梱包ユニット。
【発明の詳細な説明】
【技術分野】
【０００１】
本発明は、積み重ね構造を有する梱包ユニットに関する。
【背景技術】
【０００２】
複数の梱包品を梱包する梱包ユニットが知られている。
特許文献１に記載の梱包ユニットは、複数の梱包材により構成され、これら梱包材は積み重ねられてケースに収容される。各梱包材は、ケース内で移動しないように、ケースの各面に接触するように構成される。
【先行技術文献】
【特許文献】
【０００３】
【特許文献１】特開平６−１０００２７号公報
【発明の概要】
【発明が解決しようとする課題】
【０００４】
ところで、省資源の観点から、梱包ユニットの体積は小さいことが好ましい。
【０００５】
本発明の目的は、体積が小さい梱包ユニットを提供することにある。
【課題を解決するための手段】
【０００６】
（１）上記課題を解決する梱包ユニットは、積み重ねられて各段の梱包材が互いに係合する梱包ユニットであって、前記各段は、第１種別の段と、第２種別の段とに種別され、前記各段の梱包材は、積重ね方向に垂直に交差する第１方向で互いに反対の位置にありかつ最も外側に位置する第１面部及び第２面部と、積重ね方向と前記第１方向とに垂直な第２方向で互いに反対の位置にあり最も外側に位置する第３面部及び第４面部とを有し、前記第１種別の段の梱包材について、前記第３面部及び前記第４面部は、前記第２種別の各段の梱包材の最も外側の前記第３面部を含む第３仮想面と最も外側の前記第４面部を含む第４仮想面との間に配置され、前記第２種別の段の梱包材について、前記第１面部及び前記第２面部は、前記第１種別の各段の梱包材の最も外側の前記第１面部を含む第１仮想面と最も外側の前記第２面部を含む第２仮想面との間に配置され、前記第１種別の段の梱包材の前記第３面部及び前記第４面部、並びに、前記第２種別の段の梱包材の前記第１面部及び前記第２面部のうち少なくとも１つは、前記第１仮想面〜第４仮想面のうち最も近い仮想面よりも内側に配置される。
【０００７】
この構成によれば、第１種別の段の梱包材の第３面部及び第４面部、並びに、第２種別の段の梱包材の第１面部及び第２面部のうち少なくとも１つと、第１仮想面〜第４仮想面との間に、隙間空間が構成される。このため、このような隙間空間を設けない従来構造の梱包ユニットに比べて、体積が小さい。
【０００８】
（２）上記の梱包ユニットにおいて、前記第１種別の段の数は２以上であり、前記梱包材の積み重ね状態で、前記第１種別の各段の梱包材のうち最も外側の少なくとも２つの前記第１面部は面一に配置され、前記第１種別の各段の梱包材のうち最も外側の少なくとも２つの前記第２面部は面一に配置される。
【０００９】
この構成によれば、ケースに梱包ユニットが収容される場合、ケース内で梱包ユニットの位置が安定する。また、梱包ユニットが紐で括られる場合、括られた梱包ユニットの段ずれが生じ難い。
【００１０】
（３）上記の梱包ユニットにおいて、前記第２種別の段の数は２以上であり、前記梱包材の積み重ね状態で、前記第２種別の各段の梱包材のうち最も外側の少なくとも２つの前記第３面部は面一に配置され、前記第２種別の各段の梱包材のうち最も外側の少なくとも２つの前記第４面部は面一に配置される。
【００１１】
この構成によれば、ケースに梱包ユニットが収容される場合、ケース内で梱包ユニットの位置が安定する。また、梱包ユニットが紐で括られる場合、括られた梱包ユニットの段ずれが生じ難い。そして、上記（２）と（３）との構成により、ケース内で梱包ユニットの位置がより安定になり、梱包ユニットが紐で括られる場合は、括られた梱包ユニットの段ずれが生じ難くなる。
【００１２】
（４）上記の梱包ユニットにおいて、最下段の前記梱包材の前記第１面部〜前記第４面部は前記第１仮想面〜前記第４仮想面にそれぞれ面一である。
この構成によれば、ケースに梱包ユニットが収容される場合、最下段の梱包材がケースの底に位置決めされ易い。
【００１３】
（５）上記の梱包ユニットにおいて、前記各段の梱包材は、複数の梱包部材を備え、前記各段の梱包部材の個数は同数であり、前記各段の複数の梱包部材の配置関係は同じである。この構成では、梱包材が複数の梱包部材により構成されるため、小型の成形金型を用いて成形可能になる。
【００１４】
（６）上記の梱包ユニットにおいて、少なくとも１つの段において前記梱包材を構成する複数の梱包部材は、同一構造を有する。これにより、キャビティ及びコアの構造が異なる成形金型の数を少なくすることができる。
【００１５】
（７）上記の梱包ユニットにおいて、少なくとも１つの段において前記梱包材は、同一構造の２つまたは４つの梱包部材により構成され、前記２つまたは４つの梱包部材は、２つで１組とされて、１組の２つの梱包部材は、互いに反対の向きに配置される。
【００１６】
この構成によれば、２つの梱包部材において、互いに対向する面と、互いに対向する面の反対側の面すなわち外側に向く面と、を別の構造にすることができる。例えば、互いに対向する面の反対側の面すなわち外側に向く面に、平坦な面を構成し、互いに対向する面に段差部を構成することが可能になる。
【００１７】
（８）上記の梱包ユニットにおいて、前記１組の２つの前記梱包部材それぞれは、並び方向に交差する方向で位置決めする位置決め部を有する。この構成によれば、１組の２つの梱包部材が並びの方向に交差する方向で位置決めされる。
【００１８】
（９）上記の梱包ユニットにおいて、前記梱包部材は、梱包品を収容する２つの収容部と、前記２つの収容部を繋げる１つの連結部とを有し、前記２つの収容部と前記連結部とは、一方の前記収容部と前記連結部との並び方向と、他方の前記収容部と前記連結部との並び方向とが交差するように配置される。この構成によれば、２つの収容部を繋げる２つの連結部を有する比較対象の梱包部材に比べて、梱包部材の体積を小さくすることができる。
【００１９】
（１０）上記の梱包ユニットにおいて、前記各段の同じ配置にある複数の前記梱包部材は１列に積み重ねられ、１列に積み重ねられた各梱包部材は互いに係合する。この構成によれば、各段の梱包材が複数の梱包部材により構成される場合において、１列に積み重ねられた各列が係合するため、梱包ユニットが崩れ難くなる。
【００２０】
（１１）上記の梱包ユニットにおいて、前記梱包材は３段に積み重ねられ、各段の前記梱包材は、４つ同一構造の前記梱包部材により構成され、前記各段で同じ配置にある３個の前記梱包部材は、１列に積み重ねられてサブユニットを構成し、下から数えて第１段と第３段とが第１種別の段に種別され、第２段が、第２種別の段に種別され、前記第１段及び前記第３段それぞれの前記梱包部材の第１面部は、面一であり、前記第１仮想面を構成し、前記第１段及び前記第３段それぞれの前記梱包部材の第２面部は、面一であり、前記第２仮想面を構成し、前記第１段及び前記第２段それぞれの前記梱包部材の第３面部は、面一であり、前記第３仮想面を構成し、前記第１段及び前記第２段それぞれの前記梱包部材の第４面部は、面一であり、前記第４仮想面を構成し、前記第２段の前記梱包部材の第１面部と第２面部とは、前記第１仮想面よりも内側かつ前記第２仮想面よりも内側に配置され、前記第３段の前記梱包部材の第３面部と第４面部とは、前記第３仮想面よりも内側かつ前記第４仮想面よりも内側に配置される。
【００２１】
この構成によれば、各段の第１面部〜第４面部それぞれが面一の面を構成する梱包ユニットに比べて、梱包ユニットの体積を小さくできる。これにより、成形時に使用する樹脂量を削減できる。
【００２２】
（１２）上記の梱包ユニットにおいて、積み重ねられた前記梱包材を収容するケースを更に備え、前記ケースは、前記第１仮想面を構成する前記第１面部に接触可能な第１面と、前記第２仮想面を構成する前記第２面部に接触可能な第２面と、前記第３仮想面を構成する前記第３面部に接触可能な第３面と、前記第４仮想面を構成する前記第４面部に接触可能な第４面とを有する。この構成によれば、積み重ねられた梱包材はケースに収容されて安定するため、梱包ユニットが搬送し易くなる。
【発明の効果】
【００２３】
上記梱包ユニットは、従来構造の梱包ユニットに比べて体積が小さい。
【図面の簡単な説明】
【００２４】
【図１】ケースに収容された梱包ユニットの斜視図。
【図２】梱包ユニットの斜視図。
【図３】他の形態の梱包ユニットの斜視図。
【図４】梱包ユニットの一例の斜視図。
【図５】所定方向からみたサブユニットの斜視図。
【図６】他の方向からみたサブユニットの斜視図。
【図７】所定方向からみたベース部材の斜視図。
【図８】所定方向からみたミドル部材の斜視図。
【図９】他の方向からみたミドル部材の斜視図。
【図１０】所定方向からみたトップ部材の斜視図。
【図１１】他の方向からみたトップ部材の斜視図。
【図１２】１つの梱包品が配置されたベース部材の斜視図。
【図１３】２つの梱包品が配置されたベース部材の平面図。
【図１４】梱包ユニットにおいて、４つのベース部材の配置を示す配置図。
【図１５】梱包ユニットにおいて、４つのミドル部材の配置を示す配置図。
【図１６】梱包ユニットにおいて、４つのトップ部材の配置を示す配置図。
【図１７】図４の矢印Ａからみた梱包ユニットの側面図。
【図１８】図４の矢印Ｂからみた梱包ユニットの側面図。
【発明を実施するための形態】
【００２５】
＜概要＞
図１を参照して、梱包ユニットについて説明する。
以降の説明では、搬送時の梱包ユニット２０の姿勢を基本姿勢とする。基本姿勢にある梱包ユニット２０において鉛直方向に沿う方向を、その梱包ユニット２０の「上下方向」と定義する。なお、梱包ユニット２０の上下方向と後述の積重ね方向ＤＺとは一致する。
【００２６】
梱包ユニット２０は、複数の梱包品を梱包する。
梱包ユニット２０は収容するケース１に収容され得る。ケース１は、例えば、直方体であり、箱型に構成される。ケース１は、底面１０と、第１面１１と、第１面１１に対向する第２面１２と、第３面１３と、第３面１３に対向する第４面１４とを有する。第１面１１、第３面１３、第２面１２、第４面１４は、この順で繋がり、ケース１内の収容空間を囲む筒型の枠を構成する。
【００２７】
ケース１の大きさは、例えば、ケース１を収容する搬送コンテナの寸法に基づいて設定される。梱包ユニット２０は、ケース１に、上下方向に対して垂直な方向に移動しないように収容される。
【００２８】
図２を参照して、梱包ユニット２０を説明する。
梱包ユニット２０は、上下方向に梱包品を積み重ねて梱包する。梱包ユニット２０は、積み重ねられる複数の梱包材２１，２２により構成される。複数の梱包材２１，２２は互いに係合する。梱包品は、各梱包材２１，２２の間に収容され、梱包材２１，２２により挟持される。
【００２９】
梱包ユニット２０の各段は、第１種別の段２０Ａと、第２種別の段２０Ｂとに種別される。好ましくは、第１種別の段２０Ａと第２種別の段２０Ｂは交互に配置される。各段の梱包材２１，２２は、第１面部２１ａ，２２ａ、第２面部２１ｂ，２２ｂ、第３面部２１ｃ，２２ｃ、及び第４面部２１ｄ，２２ｄを有する。
【００３０】
第１種別の梱包材２１において、第１面部２１ａ及び第２面部２１ｂは、積重ね方向ＤＺに垂直に交差する第１方向ＤＸで、互いに反対の位置にある。第１面部２１ａは、第１方向ＤＸにおいて、一方の面側で最も外側の部分である。第２面部２１ｂは、第１方向ＤＸにおいて、他方の面側で最も外側の部分である。第３面部２１ｃ及び第４面部２１ｄは、積重ね方向ＤＺと第１方向ＤＸとに垂直に交差する第２方向ＤＹで、互いに反対の位置にある。第３面部２１ｃは、第２方向ＤＹにおいて、一方の面側で最も外側の部分である。第４面部２１ｄは、第２方向ＤＹにおいて、他方の面側で最も外側の部分である。
【００３１】
第２種別の梱包材２２において、第１面部２２ａ、第２面部２２ｂ、第３面部２２ｃ、第４面部２２ｄは、梱包材２１における第１面部２１ａ、第２面部２１ｂ、第３面部２１ｃ、第４面部２１ｄと同様に定義される。
【００３２】
梱包ユニット２０は、第１方向ＤＸにおいては第１仮想面ＰＶ１と第２仮想面ＰＶ２との間に、第２方向ＤＹにおいては第３仮想面ＰＶ３と第４仮想面ＰＶ４との間に挟まれる。第１仮想面ＰＶ１及び第２仮想面ＰＶ２は、第１種別の梱包材２１の面部により設定される面であり、第３仮想面ＰＶ３及び第４仮想面ＰＶ４は、第２種別の梱包材２２の面部により設定される面である。
【００３３】
具体的には、第１仮想面ＰＶ１とは、第１種別の各段２０Ａの梱包材２１の第１面部２１ａのうち最も外側の第１面部２１ａを含む面である。第２仮想面ＰＶ２とは、第１種別の各段２０Ａの梱包材２１の第２面部２１ｂのうち最も外側の第２面部２１ｂを含む面である。第３仮想面ＰＶ３とは、第２種別の各段２０Ｂの梱包材２２の第３面部２２ｃのうち最も外側の第３面部２２ｃを含む面である。第４仮想面ＰＶ４とは、第２種別の各段２０Ｂの梱包材２２の第４面部２２ｄのうち最も外側の第４面部２２ｄを含む面である。
【００３４】
第１種別の段２０Ａの梱包材２１において、第１面部２１ａ及び第２面部２１ｂは、互いに平行である。
第１種別の段２０Ａの梱包材２１において、第３面部２１ｃ及び第４面部２１ｄは、第２種別の各段２０Ｂの梱包材２２について最も外側の第３面部２２ｃを含む第３仮想面ＰＶ３と、最も外側の第４面部２２ｄを含む第４仮想面ＰＶ４との間に配置される。
【００３５】
第２種別の段２０Ｂの梱包材２２において、第３面部２２ｃ及び第４面部２２ｄは、互いに平行である。
第２種別の段２０Ｂの梱包材２２において、第１面部２２ａ及び第２面部２２ｂは、第１種別の各段２０Ａの梱包材２１について最も外側の第１面部２１ａを含む第１仮想面ＰＶ１と、最も外側の第２面部２１ｂを含む第２仮想面ＰＶ２との間に配置される。
【００３６】
第１種別の段２０Ａが複数である場合、第１仮想面ＰＶ１を構成する第１面部２１ａと第２仮想面ＰＶ２を構成する第２面部２１ｂとは、別々の梱包材２１に設けられるのではなく、同一の梱包材２１に設けられることが好ましい。同様に、第２種別の段２０Ｂが複数である場合、第３仮想面ＰＶ３を構成する第３面部２２ｃと第４仮想面ＰＶ４を構成する第４面部２２ｄとは、別々の梱包材２２に設けられるのではなく、同じの梱包材２２に設けられることが好ましい。ケース１内に梱包ユニット２０が収容される場合において、梱包ユニット２０が揺れるとき、所定方向の揺れにおいて同じ梱包材２１，２２に互いに反対になる両方向から略等しい力が加わるようになり、段ずれの力が作用し難くなり、梱包材同士の係合部分に加えられる力が軽減されるからである。
【００３７】
また、第１種別の段２０Ａが複数である場合は、梱包材２１の積み重ね状態で、第１種別の各段２０Ａの梱包材２１の第１面部２２ａのうち少なくとも２つが面一に配置されて、第１仮想面ＰＶ１を構成することが好ましい。また、第１種別の各段２０Ａの梱包材２１の第２面部２１ｂのうち少なくとも２つが面一に配置されて、第２仮想面ＰＶ２を構成することが好ましい。
【００３８】
第２種別の段２０Ｂが複数である場合は、梱包材２２の積み重ね状態で、第２種別の各段２０Ｂの梱包材２２の第３面部２２ｃのうち少なくとも２つが面一に配置されて、第３仮想面ＰＶ３を構成することが好ましい。また、第２種別の各段２０Ｂの梱包材２２の第４面部２２ｄのうち少なくとも２つが面一に配置されて、第４仮想面ＰＶ４を構成することが好ましい。
【００３９】
さらに、第１種別の段２０Ａの梱包材２１の第３面部２１ｃ及び第４面部２１ｄ、並びに、第２種別の段２０Ｂの梱包材２２の第１面部２２ａ及び第２面部２２ｂの少なくとも１つは、第１仮想面ＰＶ１〜第４仮想面ＰＶ４のうち最も近い仮想面よりも内側に配置される。
【００４０】
以上の構成により、梱包ユニット２０は、次に示されるようにケース１に収容される。
第１種別の段２０Ａにある各梱包材２１のうち少なくとも１つの第１面部２１ａは、ケース１の第１面１１に接触する。第１種別の段２０Ａにある各梱包材２１のうち少なくとも１つの第２面部２１ｂは、ケース１の第２面１２に接触する。
【００４１】
第２種別の段２０Ｂにある各梱包材２２のうち少なくとも１つの第３面部２２ｃは、ケース１の第３面１３に接触する。第２種別の段２０Ｂにある各梱包材２２のうち少なくとも１つの第４面部２２ｄは、ケース１の第４面１４に接触する。
【００４２】
このため、第１種別の段２０Ａにある梱包材２１は、第１方向ＤＸでの移動が規制される。第２種別の段２０Ｂにある梱包材２２は、第２方向ＤＹでの移動が規制される。また、梱包ユニット２０の各段の梱包材２１，２２は互いに係合するため、梱包ユニット２０は全体としてケース１内で第１方向ＤＸ及び第２方向ＤＹで移動が規制される。
【００４３】
また、上記の梱包ユニット２０は、上述したように、第１種別の段２０Ａの梱包材２１の第３面部２１ｃ及び第４面部２１ｄ、並びに、第２種別の段２０Ｂの梱包材２２の第１面部２２ａ及び第２面部２２ｂの少なくとも１つは、最も近い仮想面よりも内側に配置される。この構成により、次の効果がある。
【００４４】
従来の梱包ユニットでは、ケース１内における移動を規制するため、各段の梱包材は、ケース１の第１面１１〜第４面１４に接触するように構成される。これに対して、上記構成の梱包ユニット２０では、各段の梱包材２１，２２のうちいずれかがケース１の第１面１１〜第４面１４のいずれかに接触し、全体として、梱包ユニット２０が第１面１１〜第４面１４に接触するように構成されている。さらに、第１種別の段２０Ａの梱包材２１の第３面部２１ｃ及び第４面部２１ｄ、並びに、第２種別の段２０Ｂの梱包材２２の第１面部２２ａ及び第２面部２２ｂの少なくとも１つは、最も近い仮想面ＰＶ１〜ＰＶ４よりも内側に配置される。すなわち、いずれかの段において、仮想面から離間する部分が設けられている。この構成により、いずれかの段で、梱包材２１，２２と仮想面ＰＶ１〜ＰＶ４との間に隙間空間ＳＣが構成される。
【００４５】
要するに、従来の梱包材ではこの隙間空間ＳＣが埋められるように外形が構成されているが、上記の構成によれば、この隙間空間ＳＣを埋めないように梱包材２１，２２が構成される。これにより、従来の梱包材に比べて、この隙間空間ＳＣの分だけ梱包材２１，２２の体積が小さくなる。これは、梱包材２１，２２を構成するための樹脂量を削減できるという、製造上のメリットを生じさせる。そして、この構成は、省資源に貢献する。
【００４６】
図３を参照して、他の形態の梱包ユニット２０を説明する。この梱包ユニット２０では、各段の梱包材２１，２２が複数の梱包部材２４，２５により構成される。例えば、梱包材２１，２２は、４つの梱包部材２４，２５により構成される。４つの梱包部材２４，２５は、第１方向ＤＸに２列、第２方向ＤＹに２列に配置される。
【００４７】
第１種別の段２０Ａにおいて、４つの梱包部材２４により構成される梱包材２１は、上述の構成を満たす、第１面部２１ａ、第２面部２１ｂ、第３面部２１ｃ、及び第４面部２１ｄを有する。
第２種別の段２０Ｂにおいて、４つの梱包部材２５により構成される梱包材２２は、上述の構成を満たす、第１面部２２ａ、第２面部２２ｂ、第３面部２２ｃ、及び第４面部２２ｄを有する。
【００４８】
このため、各段の梱包材２１，２２が複数の梱包部材２４，２５により構成される梱包ユニット２０は、各段の梱包材２１，２２が分割されていない上述の梱包ユニット２０と同様の効果を奏する。
【００４９】
＜実施例＞
図４〜図１８を参照して、梱包ユニット２０の一例を説明する。
この梱包ユニット２０は、複数の梱包品１００を梱包する。梱包品１００は限定されないが、例えば、梱包品１００の例として、動力伝達装置（車両のトランスミッションに接続されるトランスファー）、モータ、蓄電池、アクチュエータ等が挙げられる。
【００５０】
梱包ユニット２０は、３段構造を有する。
各段の梱包材は、４つの梱包部材により構成される。各段の４つの梱包部材は、同一構造を有する。４つの梱包部材は、第１方向ＤＸに２列、第２方向ＤＹに２列に配置される。各段の同じ配置にある複数の梱包部材は１列に積み重ねられる（図５及び図６参照）。また、上下方向に１列に積み重ねられた梱包部材は互いに係合する。このように構成される上下方向に１列に積み重ねられた状態の３つの梱包部材を「サブユニット３０」と称呼する。
【００５１】
各梱包部材は、弾性を有する樹脂により構成される。例えば、梱包部材は、発泡樹脂（例えば、発泡スチロール）により構成されることが好ましい。発泡樹脂は、軽量であり、かつ緩衝性に優れるからである。
【００５２】
図７〜図１１を参照して、各段の梱包部材について説明する。
なお、以降の説明では、下から数えて第１段目の梱包部材を「ベース部材４０」と称呼し、下から数えて第２段目の梱包部材を「ミドル部材６０」と称呼し、下から数えて第３段目の梱包部材を「トップ部材８０」と称呼する。ベース部材４０とミドル部材６０とトップ部材８０とが積み重ねられたものは、サブユニット３０を構成する。
【００５３】
図７を参照して、ベース部材４０を説明する。なお、ここでは、搬送時の姿勢にある梱包ユニット２０におけるベース部材４０の姿勢を基準にして説明する。
ベース部材４０は、第１の梱包品１００を収容する第１収容部４１と、第２の梱包品１００を収容する第２収容部４２と、第１収容部４１と第２収容部４２とを連結する連結部４３とを有する。なお、本実施例では、第１の梱包品１００と第２の梱包品１００とは同じものである。
【００５４】
第１収容部４１と連結部４３との並びの方向と、第２収容部４２と連結部４３との並びの方向とは交差する。ベース部材４０は、平面視（積重ね方向ＤＺにおける視点、以下同じ。）で例えばＬ字状に構成される。このようなＬ字構造のベース部材４０によれば、４つのベース部材４０が２列２行に配列されるとき、平面視矩形の空きの空間（以下、この空間を「空き空間ＳＶ」という。）が構成される（図１４参照）。
【００５５】
ベース部材４０は、ベース部材４０の外側の面を構成する第１側面４０ａ〜第６側面４０ｆを有する。
第１側面４０ａは、第１収容部４１と連結部４３とに沿って、両者の並びの方向に延びる。第２側面４０ｂは、第２収容部４２と連結部４３とに沿って、両者の並びの方向に延びる。第３側面４０ｃは、第１収容部４１に沿って、第１収容部４１を間に挟んで第１側面４０ａと対向する。第４側面４０ｄは、第２収容部４２に沿って、第２収容部４２を間に挟んで第２側面４０ｂと対向する。第５側面４０ｅは、第１収容部４１に沿って、第１収容部４１及び連結部４３を間に挟んで第２側面４０ｂと対向する。第６側面４０ｆは、第２収容部４２に沿って、第２収容部４２及び連結部４３を間に挟んで第１側面４０ａと対向する。
【００５６】
第２側面４０ｂは、連結部４３に沿う第１サブ面４０ｘと、第２収容部４２に沿う第２サブ面４０ｙとを有する。第１サブ面４０ｘは、第１方向ＤＸにおいて第２サブ面４０ｙからずれた位置にある。４つのベース部材４０により第１段の梱包材３１が構成されるとき（図１４参照）、隣接する２つのベース部材４０は、第２側面４０ｂ同士が接触するように配置される。そして、一方のベース部材４０の第１サブ面４０ｘは、他方のベース部材４０の第２サブ面４０ｙに接触し、一方のベース部材４０の第２サブ面４０ｙは、他方のベース部材４０の第１サブ面４０ｘに接触する。
【００５７】
第２側面４０ｂの第１サブ面４０ｘと第２サブ面４０ｙとの間には、他のベース部材４０の第２側面４０ｂとの接触で、２つのベース部材４０の並びの方向に対して交差する方向において両ベース部材４０を位置決めする位置決め部４０ｓが設けられている。位置決め部４０ｓは、第１側面４０ａと第６側面４０ｆとから等距離の点において２回回転対称構造を有する。例えば、位置決め部４０ｓは、第１サブ面４０ｘと第２サブ面４０ｙとの段差として構成され、第１側面４０ａと平行な段差面４０ｒを有する。
【００５８】
ベース部材４０は、ミドル部材６０の底面７８と接触する載置面５１を有する。載置面５１は、ベース部材４０の外周に沿う周縁部の上面の所々に設けられる。
ベース部材４０は、ミドル部材６０に係合する複数の係合部を有する。
ベース部材４０において、第１収容部４１の周囲には、ミドル部材６０と係合する第１係合部５２が載置面５１から突出するように設けられる。第１係合部５２は、第１方向ＤＸにずれる段差部５２ｖを有する。また、ベース部材４０において、第１収容部４１と連結部４３の間の部分には、ミドル部材６０と係合する第２係合部５４が載置面５１から突出するように設けられる。また、ベース部材４０において第２収容部４２の周囲には、ミドル部材６０と係合する第３係合部５５が載置面５１から突出するように設けられる。
【００５９】
図８及び図９を参照して、ミドル部材６０を説明する。なお、ここでは、搬送時の姿勢にある梱包ユニット２０におけるミドル部材６０の姿勢を基準にして説明する。
ミドル部材６０は、上側に構成される上部収容構造と、下側に構成される下部収容構造とを有する。上部収容構造は、ベース部材４０の梱包品１００の収容構造に準ずる。下部収容構造は、ベース部材４０に載置される第１の梱包品１００及び第２の梱包品１００を覆って保護する。以下、具体的に説明する。
【００６０】
ミドル部材６０は、第３の梱包品１００を収容する第３収容部６１と、第４の梱包品１００を収容する第４収容部６２と、第３収容部６１と第４収容部６２とを連結する連結部６３とを有する。第３収容部６１と第４収容部６２とは、ミドル部材６０の上側に構成される。
【００６１】
さらに、ミドル部材６０は、ベース部材４０に配置される第１の梱包品１００の上側を保護する第１被覆部７４と、ベース部材４０に載置される第２の梱包品１００の上側を保護する第２被覆部７５とを有する。第１被覆部７４と第２被覆部７５とは、ミドル部材６０の下側に構成される。また、第１被覆部７４は、第３収容部６１の下側に設けられ、第２被覆部７５は、第４収容部６２の下側に設けられる。
【００６２】
第３収容部６１と連結部６３との並びの方向と、第４収容部６２と連結部６３との並びの方向とは交差する。ミドル部材６０は、平面視でＬ字状である。
【００６３】
ミドル部材６０は、ミドル部材６０の外側の面を構成する第１側面６０ａ〜第６側面６０ｆを有する。
第１側面６０ａは、第３収容部６１と連結部６３とに沿って、両者の並びの方向に延びる。第２側面６０ｂは、第４収容部６２と連結部６３とに沿って、両者の並びの方向に延びる。第３側面６０ｃは、第３収容部６１に沿って、第３収容部６１を間に挟んで第１側面６０ａと対向する。第４側面６０ｄは、第４収容部６２に沿って、第４収容部６２を間に挟んで第２側面６０ｂと対向する。第５側面６０ｅは、第３収容部６１に沿って、第３収容部６１及び連結部６３を間に挟んで第２側面６０ｂと対向する。第６側面６０ｆは、第４収容部６２に沿って、第４収容部６２及び連結部６３を間に挟んで第１側面６０ａと対向する。
【００６４】
第２側面６０ｂは、連結部６３に沿う第３サブ面６０ｘと、第４収容部６２に沿う第４サブ面６０ｙとを有する。第３サブ面６０ｘは、第１方向ＤＸにおいて第４サブ面６０ｙからずれた位置にある。第２側面６０ｂの構造は、ベース部材４０の第２側面４０ｂの構造に準ずる。また、ミドル部材６０同士の位置決め構造も、ベース部材４０同士の位置決め構造に準ずる。すなわち、ミドル部材６０の第２側面６０ｂには、２回回転対称構造を有する位置決め部６０ｓが設けられる。
【００６５】
ミドル部材６０は、トップ部材８０の底面９１と接触する載置面７１を有する。載置面７１は、ミドル部材６０の外周に沿う周縁部の上面の所々に設けられる。
【００６６】
ミドル部材６０は、トップ部材８０に係合する複数の凹部を有する。
ミドル部材６０において、第３収容部６１の周囲には、トップ部材８０と係合する第１凹部７２が載置面７１から窪むように設けられる。ミドル部材６０において、連結部６３には、トップ部材８０と係合する第２凹部７３が載置面７１から窪むように設けられる。
【００６７】
ミドル部材６０は、ベース部材４０の載置面５１と接触する底面７８を有する。
底面７８は、ミドル部材６０の外周に沿う周縁部の下面の所々に設けられる。
【００６８】
ミドル部材６０は、ベース部材４０に係合する部分（凹部及び段差部）を有する。
ミドル部材６０において、第５側面６０ｅの下部には、ベース部材４０の第１係合部５２の段差部５２ｖに係合する段差部６０ｖ（図９参照）が設けられる。ミドル部材６０がベース部材４０に載置されると、ミドル部材６０の第５側面６０ｅがベース部材４０の第１係合部５２の内面５２ｘに接触して、段差部６０ｖが、ベース部材４０の第１係合部５２の段差部５２ｖ（図７参照）に係合する。
【００６９】
ミドル部材６０において、第１被覆部７４と連結部６３の間の部分には、ベース部材４０の第２係合部５４と係合する第３凹部７６が底面７８から窪むように設けられる。ミドル部材６０において第２被覆部７５の周囲には、ベース部材４０の第３係合部５５と係合する第４凹部７７が底面７８から窪むように設けられる。
【００７０】
図１０及び図１１を参照して、トップ部材８０を説明する。なお、ここでは、搬送時の姿勢にある梱包ユニット２０におけるトップ部材８０の姿勢を基準にして説明する。
トップ部材８０は、ミドル部材６０に配置される第３の梱包品１００の上側を保護する第３被覆部８１と、ミドル部材６０に載置される第４の梱包品１００の上側を保護する第４被覆部８２とを有する。
【００７１】
第３被覆部８１は、第３の梱包品１００について、第２方向ＤＹにおいて中間側の半分以上を覆い（図５参照）、かつ第３の梱包品１００の上側の一部を覆わない。第４被覆部８２は、第４の梱包品１００について、第２方向ＤＹにおいて中間側の半分以上を覆い（図５参照）、かつ第４の梱包品１００の上側の一部を覆わない。第２方向ＤＹにおいて中間側とは、第２方向ＤＹにおけるサブユニット３０の中間線に近い側を示す。
【００７２】
トップ部材８０は、トップ部材８０の外側の側面を構成する、第１側面８０ａ〜第５側面８０ｅを有する。
第１側面８０ａと第２側面８０ｂとは、第３被覆部８１及び第４被覆部８２を挟むように配置され、第１側面８０ａと第２側面８０ｂとは平行の関係にある。第３側面８０ｃは、第２方向ＤＹにおいて最も外側の面のうちの一方であり、第４側面８０ｄは、その他方である。第３側面８０ｃと第４側面８０ｄとは平行の関係にある。また、トップ部材８０には、第２側面８０ｂに平行な第５側面８０ｅを有し、第５側面８０ｅは、第１方向ＤＸにおいて第２側面８０ｂからずれた位置に配置される。
【００７３】
トップ部材８０は、ミドル部材６０の載置面７１と接触する底面９１を有する。底面９１は、トップ部材８０の外周に沿う周縁部の下面の所々に設けられる。
トップ部材８０は、ミドル部材６０に係合する係合部が設けられる。トップ部材８０の第３被覆部８１の周囲には、ミドル部材６０の第１凹部７２に係合する第４係合部９２が底面９１から突出するように設けられる。また、第１側面８０ａ側には、底面９１よりも外側に、底面９１から突出する突出部９４を有する。突出部９４の内面９４ｘは、ミドル部材６０の第５側面６０ｅに接触する。トップ部材８０において第４被覆部８２の周囲には、ミドル部材６０の第２凹部７３に係合する第５係合部９３が底面９１から突出するように設けられる。
【００７４】
図１２及び図１３を参照して、梱包品１００の収容状態を説明する。
梱包品１００は、本体部１１０と、本体部１１０から突出する突出部１２０とを有する。本体部１１０は、梱包品１００の質量の半分以上（好ましくは２／３以上）の占める部分である。
【００７５】
梱包品１００は、ベース部材４０とミドル部材６０との間に２個収容され、ミドル部材６０とトップ部材８０の間に２個収容される。
【００７６】
図１２は、ベース部材４０の第１収容部４１に梱包品１００が配置された状態を示す。
図１２に示されるように、第１の梱包品１００の本体部１１０は、第１収容部４１に配置され、突出部１２０は、連結部４３に配置される。また、第２の梱包品１００の本体部１１０は、第２収容部４２に配置され（図１３参照）、その突出部１２０は、ベース部材４０の外側の空き空間ＳＶに配置される。第１の梱包品１００と第２の梱包品１００とは、それぞれの向きが正反対になるように配置される。
【００７７】
ベース部材４０の上にミドル部材６０を配置すると、第１の梱包品１００及び第２の梱包品１００は、ミドル部材６０の第１被覆部７４及び第２被覆部７５により覆われる。第１被覆部７４の一部分は、第１の梱包品１００の上部に接触する。第２被覆部７５の一部分は、第２の梱包品１００の上部に接触する。これにより、第１の梱包品１００及び第２の梱包品１００は、ベース部材４０とミドル部材６０とに挟まれるようにして保持される。
【００７８】
第３の梱包品１００及び第４の梱包品１００は、ベース部材４０に配置された第１の梱包品１００と第２の梱包品１００と同様の態様で、ミドル部材６０に配置される。また、第３の梱包品１００及び第４の梱包品１００は、トップ部材８０により覆われる。
【００７９】
図１４〜図１８を参照して、梱包ユニット２０の構造について説明する。
図１４は、第１段の平面図である。図１５は、第２段の平面図である。図１６は、第３段の平面図である。図１７は、図４の矢印Ａからみた側面図であり、図１８は、図４の矢印Ｂからみた側面図である。図１４〜図１８において、外枠は、梱包ユニット２０を収容するケース１の内面を示す。
【００８０】
梱包ユニット２０は、第１段の梱包材３１と、第２段の梱包材３２と、第３段の梱包材３３とを備える。第１段の梱包材３１、第２段の梱包材３２、第３段の梱包材３３は、この順に、積み重ねられる。
【００８１】
図１４に示されるように、第１段の梱包材３１は４つのベース部材４０により構成される。
４つのベース部材４０は、第１方向ＤＸに２列で、第２方向ＤＹに２列に配置される。また、ベース部材４０それぞれは、第１収容部４１と連結部４３との並び方向と第１方向ＤＸとが一致するように配置され、かつ第２収容部４２と連結部４３との並び方向と第２方向ＤＹとが一致するように配置される。第１方向ＤＸにおいて隣接する２つのベース部材４０は、互いの反対の向きに配置される。第２方向ＤＹにおいて隣接する２つのベース部材４０は、同じ向きに配置される。第１方向ＤＸにおいて隣接する２つのベース部材４０は、第２側面４０ｂ同士が接触する。すなわち、一方のベース部材４０の第２側面４０ｂの第１サブ面４０ｘと第２サブ面４０ｙとが、他方のベース部材４０の第２側面４０ｂの第２サブ面４０ｙと第１サブ面４０ｘとにそれぞれ接触し、かつ段差面４０ｒ（図７参照）同士が互いに接触するように配置される。
【００８２】
このように構成される第１段の梱包材３１は、第１面部３１ａ〜第４面部３１ｄを有する。
第１面部３１ａは、第１方向ＤＸの一方向において最も外側に配置される面であり、ベース部材４０の第５側面４０ｅにより構成される。第２面部３１ｂは、第１方向ＤＸの他方向において最も外側に配置される面であり、ベース部材４０の第５側面４０ｅにより構成される。第３面部３１ｃは、第２方向ＤＹの一方向において最も外側に配置される面であり、ベース部材４０の第１側面４０ａと第６側面４０ｆとにより構成される。第４面部３１ｄは、第２方向ＤＹの他方向において最も外側に配置される面であり、ベース部材４０の第１側面４０ａと第６側面４０ｆとにより構成される。第１面部３１ａと第２面部３１ｂとは平行の関係にあり、また、第３面部３１ｃと第４面部３１ｄとは平行の関係にある。
【００８３】
図１５に示されるように、第２段の梱包材３２は、４つのミドル部材６０により構成される。
４つのミドル部材６０は、第１段の４つのベース部材４０の配置構造と同様に配置される。具体的には、ミドル部材６０それぞれは、第３収容部６１と連結部６３との並び方向と第１方向ＤＸとが一致するように配置され、かつ第４収容部６２と連結部６３との並び方向と第２方向ＤＹとが一致するように配置される。また、第１方向ＤＸにおいて隣接する２つのミドル部材６０は、互いの反対の向きに配置される。第２方向ＤＹにおいて隣接する２つのミドル部材６０は、同じ向きに配置される。第１方向ＤＸにおいて隣接する２つのミドル部材６０は、第２側面６０ｂ同士が接触するように配置される。
【００８４】
このように構成される第２段の梱包材３２は、第１面部３２ａ〜第４面部３２ｄを有する。
第１面部３２ａは、第１方向ＤＸの一方向において最も外側に配置される面であり、ミドル部材６０の第５側面６０ｅにより構成される。第２面部３２ｂは、第１方向ＤＸの他方向において最も外側に配置される面であり、ミドル部材６０の第５側面６０ｅにより構成される。第３面部３２ｃは、第２方向ＤＹの一方向において最も外側に配置される面であり、ミドル部材６０の第１側面６０ａと第６側面６０ｆとにより構成される。第４面部３２ｄは、第２方向ＤＹの他方向において最も外側に配置される面であり、ミドル部材６０の第１側面６０ａと第６側面６０ｆとにより構成される。第１面部３２ａと第２面部３２ｂとは平行の関係にあり、また、第３面部３２ｃと第４面部３２ｄとは平行の関係にある。
【００８５】
ミドル部材６０は、次のようにベース部材４０に係合する（図７及び図９参照）。すなわち、ベース部材４０の第１係合部５２の内面５２ｘは、ミドル部材６０の第５側面６０ｅに接触する。ベース部材４０の第２係合部５４は、ミドル部材６０の第３凹部７６に挿入する。ベース部材４０の第３係合部５５は、ミドル部材６０の第４凹部７７に挿入する。これにより、ミドル部材６０は、ベース部材４０に対して第１方向ＤＸ及び第２方向ＤＹの所定位置に位置決めされる。
【００８６】
図１６に示されるように、第３段の梱包材３３は、４つのトップ部材８０により構成される。
トップ部材８０それぞれは、第３被覆部８１と第４被覆部８２との並び方向と第１方向ＤＸとが一致するように配置される。第１方向ＤＸにおいて隣接する２つのトップ部材８０は、互いの反対の向きに配置される。第２方向ＤＹにおいて離間して並ぶ２つのトップ部材８０は、同じ向きに配置される。第１方向ＤＸにおいて隣接する２つのトップ部材８０は、一方の第２側面８０ｂと第５側面８０ｅとが他方の第５側面８０ｅと第２側面８０ｂとにそれぞれ接触するように配置される。
【００８７】
このように構成される第３段の梱包材３３は、第１面部３３ａ〜第４面部３３ｄを有する。なお、ここでは、第３段のトップ部材８０は第２方向ＤＹにおいて離間するが、４つのトップ部材８０がまとまって１つの第３段の梱包材３３が構成される。
【００８８】
第１面部３３ａは、第１方向ＤＸの一方向において最も外側に配置される面であり、トップ部材８０の第１側面８０ａにより構成される。第２面部３３ｂは、第１方向ＤＸの他方向において最も外側に配置される面であり、トップ部材８０の第１側面８０ａにより構成される。第３面部３３ｃは、第２方向ＤＹの一方向において最も外側に配置される面であり、トップ部材８０の第３側面８０ｃと第４側面８０ｄとにより構成される。第４面部３３ｄは、第２方向ＤＹの他方向において最も外側に配置される面であり、トップ部材８０の第４側面８０ｄと第３側面８０ｃとより構成される。第１面部３３ａと第２面部３３ｂとは平行の関係にあり、第３面部３３ｃと第４面部３３ｄとは平行の関係にある。
【００８９】
トップ部材８０は、次のようにミドル部材６０に係合する（図８及び図１１参照）。すなわち、トップ部材８０の第４係合部９２は、ミドル部材６０の第１凹部７２に挿入する。トップ部材８０の第５係合部９３は、ミドル部材６０の第２凹部７３に挿入する。トップ部材８０のトップ部材８０の突出部９４の内面９４ｘは、ミドル部材６０の第５側面６０ｅに接触する。これにより、トップ部材８０は、ミドル部材６０に対して第１方向ＤＸ及び第２方向ＤＹの所定位置に位置決めされる。
【００９０】
以上のように組み立てられた梱包ユニット２０は、外形において次の構成を有する。第１段と第３段とは、第１種別に属する。第２段は、第２種別に属する。
第１種別である第１段の梱包材３１及び第３段の梱包材３３それぞれは、第１方向ＤＸの一方で最も外側に配置される第１面部３１ａ，３３ａを有する。これら第１面部３１ａ，３３ａは、面一であり、第１仮想面ＰＶ１を構成する。この第１仮想面ＰＶ１は、ケース１の第１面１１に接触され得る。
【００９１】
第１種別である第１段の梱包材３１及び第３段の梱包材３３それぞれは、第１方向ＤＸの他方で最も外側に配置される第２面部３１ｂ，３３ｂを有する。これら第２面部３１ｂ，３３ｂは、面一であり、第２仮想面ＰＶ２を構成する。この第２仮想面ＰＶ２は、ケース１の第２面１２に接触され得る。
【００９２】
第２種別である第２段の梱包材３２は、第２方向ＤＹの一方で最も外側に配置される第３面部３２ｃを有する。第３面部３２ｃは、第３仮想面ＰＶ３を構成する。この第３仮想面ＰＶ３は、ケース１の第３面１３に接触され得る。
【００９３】
第２種別である第２段の梱包材３２は、第２方向ＤＹの他方で最も外側に配置される第４面部３２ｄを有する。第４面部３２ｄは、第４仮想面ＰＶ４を構成する。この第４仮想面ＰＶ４は、ケース１の第４面１４に接触され得る。
【００９４】
なお、第１段の梱包材３１の第３面部３１ｃ及び第４面部３１ｄは、第３仮想面ＰＶ３と第４仮想面ＰＶ４とにそれぞれ面一のところに位置する。
【００９５】
第２段の梱包材３２について、第１面部３２ａ及び第２面部３２ｂは、第１仮想面ＰＶ１と第２仮想面ＰＶ２との間に配置される。
具体的には、第２段の梱包材３２の第１面部３２ａは、第１仮想面ＰＶ１よりも内側に配置され、かつ第２面部３２ｂは、第２仮想面ＰＶ２よりも内側に配置される。これにより、第１面部３２ａと第１仮想面ＰＶ１との間には隙間空間ＳＣが構成される。第２面部３２ｂと第２仮想面ＰＶ２との間には隙間空間ＳＣが構成される（図１５、図１７参照）。
【００９６】
第３段の梱包材３３について、第３面部３３ｃ及び第４面部３３ｄは、第３仮想面ＰＶ３と第４仮想面ＰＶ４との間に配置される。
具体的には、第３段の梱包材３３の第３面部３３ｃは、第３仮想面ＰＶ３よりも内側に配置され、かつ第４面部３３ｄは、第４仮想面ＰＶ４よりも内側に配置される。これにより、第３面部３３ｃと第３仮想面ＰＶ３との間には隙間空間ＳＣが構成される。第４面部３３ｄと第４仮想面ＰＶ４との間には隙間空間ＳＣが構成される（図１６，図１８参照）。
【００９７】
以下、梱包ユニット２０の作用及び効果を説明する。
（１）上記の梱包ユニット２０では、第１種別の段２０Ａの梱包材３３の第３面部３３ｃ及び第４面部３３ｄ、並びに、第２種別の段２０Ｂの梱包材３２の第１面部３２ａ及び第２面部３２ｂが、第１仮想面ＰＶ１〜第４仮想面ＰＶ４のうち最も近い仮想面よりも内側に配置されている。
【００９８】
この構成によれば、第１種別の段２０Ａの梱包材３３の第３面部３３ｃ及び第４面部３３ｄ、並びに、第２種別の段２０Ｂの梱包材３２の第１面部３２ａ及び第２面部３２ｂと、第１仮想面ＰＶ１〜第４仮想面ＰＶ４との間に、隙間空間ＳＣが構成される。このため、このような隙間空間ＳＣを設けない従来構造の梱包ユニット２０に比べて、体積が小さい。
【００９９】
（２）梱包ユニット２０において、第１種別の段２０Ａの数は２以上である。梱包材３１〜３３の積み重ね状態で、第１種別の各段２０Ａの梱包材３１，３３の２つの第１面部３１ａ，３３ａが面一に配置される。また、第１種別の各段２０Ａの梱包材３１，３３の２つの第２面部３１ｂ，３３ｂは面一に配置される。
【０１００】
ケース１に梱包ユニット２０が収容される場合、第１方向ＤＸの一方の側で、２つの第１面部３１ａ，３３ａがケース１の一面に接触可能になり、第１方向ＤＸの他方の側で、２つの第２面部３１ｂ，３３ｂがケース１の他面に接触可能になる。これにより、ケース１内で梱包ユニット２０の位置が安定する。また、梱包ユニット２０が紐で括られる場合、紐は、第１方向ＤＸの一方の側で、２つの第１面部３１ａ，３３ａに接触し、第１方向ＤＸの他方の側で、２つの第２面部３１ｂ，３３ｂに接触する。これにより、括られた梱包ユニット２０の段ずれが生じ難い。
【０１０１】
（３）また、第２種別の段２０Ｂの数が２以上であってもよい。この場合、梱包材３１〜３３の積み重ね状態で、第２種別の各段２０Ｂの梱包材３２のうち最も外側の少なくとも２つの第３面部３２ｃは面一に配置され、第２種別の各段２０Ｂの梱包材３２のうち最も外側の少なくとも２つの第４面部３２ｄは面一に配置されることが好ましい。
【０１０２】
この構成によれば、ケース１に梱包ユニット２０が収容される場合、第２方向ＤＹの一方の側で、少なくとも２つの第３面部３２ｃがケース１の一面に接触可能になり、第２方向ＤＹの他方の側で、少なくとも２つの第４面部３２ｄがケース１の他面に接触可能になる。これにより、ケース１内での梱包ユニット２０の位置が安定する。また、梱包ユニット２０が紐で括られる場合、紐は、第２方向ＤＹの一方の側で、少なくとも２つの第３面部３２ｃに接触し、第２方向ＤＹの他方の側で、少なくとも２つの第４面部３２ｄに接触する。これにより、括られた梱包ユニット２０の段ずれが生じ難い。
【０１０３】
更に、上記（２）と（３）の双方の構成を備えることがより好ましい。これにより、ケース１に梱包ユニット２０が収容される場合は、梱包ユニット２０の位置がより安定する。また、梱包ユニット２０が紐で括られる場合は、より段ずれが生じ難くなる。
【０１０４】
（４）梱包ユニット２０において、最下段の梱包材３１の第１面部３１ａ〜第４面部３１ｄは、第１仮想面ＰＶ１〜第４仮想面ＰＶ４にそれぞれ面一である。この構成によれば、ケース１に梱包ユニット２０が収容される場合、最下段の梱包材３１がケース１の底に位置決めされ易い。
【０１０５】
（５）梱包ユニット２０において、各段の梱包材３１〜３３は、複数の梱包部材（すなわち、４つのベース部材４０、４つのミドル部材６０、４つのトップ部材８０）を備える。各段の梱包部材の個数は同数である。また、各段の複数の梱包部材の配置関係は同じである。この構成では、梱包材３１〜３３が複数の梱包部材により構成されるため、小型の成形金型を用いて成形可能になる。
【０１０６】
（６）梱包ユニット２０において、梱包材３１〜３３を構成する複数の梱包部材すなわちベース部材４０、ミドル部材６０、トップ部材８０それぞれは、同一構造を有する。梱包材３１〜３３を構成する複数の梱包部材の構造が個々に異なる場合、それぞれに対応した成形金型が必要となるが、上記構成では、複数の梱包部材が同一構造を有するため、キャビティ及びコアの構造が異なる成形金型の数を少なくすることができる。
【０１０７】
（７）梱包ユニット２０において、第１段の梱包材３１は、同一構造の４つのベース部材４０（梱包部材）により構成される。４つのベース部材４０は、２つで１組とされて、１組の２つのベース部材４０は、互いに反対の向きに配置される。この構成によれば、２つのベース部材４０において、互いに対向する第２側面４０ｂと、互いに対向する面の反対側の面すなわち外側に向く第５側面４０ｅと、を別の構造にすることができる。第２段の梱包材３２及び第３段の梱包材３３も同様である。
【０１０８】
なお、実施例では、梱包材３１〜３３は、同一構造の４つの梱包部材により構成されているが、梱包材３１〜３３は、同一構造の２つの梱包部材により構成され得る。また、これらは、２つで１組とされて、１組の２つの梱包部材は、互いに反対の向きに配置され得る。
【０１０９】
（８）梱包ユニット２０において、１組の２つのベース部材４０それぞれは、並び方向に交差する方向で位置決めする位置決め部４０ｓを有する。この構成によれば、１組の２つのベース部材４０が並びの方向に交差する方向で位置決めされる。なお、ミドル部材６０も同様の構成を有する。
【０１１０】
（９）梱包ユニット２０において、ベース部材４０は、梱包品１００を収容する第１収容部４１及び第２収容部４２と、これら収容部を繋げる１つの連結部４３とを有する。２つの収容部４１，４２と連結部４３とは、第１収容部４１と連結部４３との並び方向と、第２収容部４２と連結部４３との並び方向とが交差するように配置される。この構成によれば、２つの収容部４１，４２を繋げる２つの連結部４３を有する比較対象の梱包部材に比べて、ベース部材４０の体積を小さくすることができる。なお、ミドル部材６０も同様の構造を有する。
【０１１１】
（１０）梱包ユニット２０において、各段の同じ配置にある複数の梱包部材（すなわち、ベース部材４０、ミドル部材６０、トップ部材８０）は、１列に積み重ねられる。１列に積み重ねられた各梱包部材は互いに係合する。この構成によれば、各段の梱包材３１〜３３が複数の梱包部材により構成される場合において、１列に積み重ねられた各列が係合するため、梱包ユニット２０が崩れ難くなる。
【０１１２】
（１１）梱包ユニット２０では、第１段及び第３段それぞれの第１面部３１ａ，３３ａは、面一であり、第１仮想面ＰＶ１を構成する。第１段及び第３段それぞれの第２面部３１ｂ，３３ｂは、面一であり、第２仮想面ＰＶ２を構成する。第１段及び第２段それぞれの第３面部３１ｃ，３２ｃは、面一であり、第３仮想面ＰＶ３を構成する。第１段及び第２段それぞれの第４面部３１ｄ．３２ｄは、面一であり、第４仮想面ＰＶ４を構成する。第２段の第１面部３２ａと第２面部３２ｂとは、第１仮想面ＰＶ１よりも内側かつ第２仮想面ＰＶ２よりも内側に配置される。第３段の第３面部３３ｃと第４面部３３ｄとは、第３仮想面ＰＶ３よりも内側かつ第４仮想面ＰＶ４よりも内側に配置される。
【０１１３】
この構成によれば、各段の第１面部〜第４面部それぞれが面一の面を構成する梱包ユニット２０に比べて、梱包ユニット２０の体積を小さくできる。これにより、成形時に使用する樹脂量を削減できる。
【０１１４】
（１２）梱包ユニット２０は、ケース１を更に備えてもよい。ケース１は、第１面１１〜第４面１４を有する。第１面１１は、第１仮想面ＰＶ１を構成する第１面部３１ａ，３３ａに接触可能である。第２面１２が、第２仮想面ＰＶ２を構成する第２面部３１ｂ，３３ｂに接触可能である。第３面１３は、第３仮想面ＰＶ３を構成する第３面部３２ｃに接触可能である。第４面１４は、第４仮想面ＰＶ４を構成する第４面部３２ｄに接触可能である。この構成によれば、積み重ねられた梱包材３１〜３３はケース１に収容されて安定するため（第１方向ＤＸ及び第２方向ＤＹに傾いたり、移動したりし難い状態）、梱包ユニット２０が搬送し易くなる。例えば、搬送中の揺れに起因する梱包ユニット２０の崩れが抑制される。
【０１１５】
＜その他の実施形態＞
・上述の各構成（１）〜（１２）は、４段以上に積み重ねられる梱包ユニット２０に適用可能である。
【０１１６】
・上述の各構成（１）〜（１２）に準じた構成は、２段に積み重ねられる梱包ユニット２０に適用可能である。
【０１１７】
・複数の梱包材３１〜３３からなる梱包ユニット２０は、そのままで（ケース１に収容されない状態で）搬送され得る。また、複数の梱包材３１〜３３からなる梱包ユニット２０は、紐で束ねられて搬送され得る。
【０１１８】
・実施例では、ケース１は、例えば、直方体であり、第１面１１〜第４面１４を有するが、ケース１の構造はこれに限定されない。すなわち、ケース１の側壁の構造は、平坦面を構成するものに限定されない。ケース１は、次の要件を備えるもので足りる。すなわち、ケース１は、梱包ユニット２０において、各段の第１面部のうち最も外側の第１面部に接触可能な部分と、各段の第２面部のうち最も外側の第２面部に接触可能な部分と、各段の第３面部のうち最も外側の第３面部に接触可能な部分と、各段の第４面部のうち最も外側の第４面部に接触可能な部分とを有する。「第１面部に接触可能な部分」とは、例えば、平坦面を有する壁、格子構造の壁、蛇腹構造の壁、ケース底に立てられるポール等である。第２面部に接触可能な部分、第３面部に接触可能な部分、第４面部に接触可能な部分もこれと同様である。
【符号の説明】
【０１１９】
ＤＸ…第１方向、ＤＹ…第２方向、ＤＺ…積重ね方向、ＰＶ１…第１仮想面、ＰＶ２…第２仮想面、ＰＶ３…第３仮想面、ＰＶ４…第４仮想面、ＳＣ…隙間空間、ＳＶ…空き空間、１…ケース、１０…底面、１１…第１面、１２…第２面、１３…第３面、１４…第４面、２０…梱包ユニット、２０Ａ…第１種別の段、２０Ｂ…第２種別の段、２１…梱包材、２１ａ…第１面部、２１ｂ…第２面部、２１ｃ…第３面部、２１ｄ…第４面部、２２…梱包材、２２ａ…第１面部、２２ｂ…第２面部、２２ｃ…第３面部、２２ｄ…第４面部、２４…梱包部材、２５…梱包部材、３０…サブユニット、３１…梱包材、３１ａ…第１面部、３１ｂ…第２面部、３１ｃ…第３面部、３１ｄ…第４面部、３２…梱包材、３２ａ…第１面部、３２ｂ…第２面部、３２ｃ…第３面部、３２ｄ…第４面部、３３…梱包材、３３ａ…第１面部、３３ｂ…第２面部、３３ｃ…第３面部、３３ｄ…第４面部、４０…ベース部材、４０ａ…第１側面、４０ｂ…第２側面、４０ｘ…第１サブ面、４０ｙ…第２サブ面、４０ｓ…位置決め部、４０ｒ…段差面、４０ｃ…第３側面、４０ｄ…第４側面、４０ｅ…第５側面、４０ｆ…第６側面、４１…第１収容部、４２…第２収容部、４３…連結部、５１…載置面、５２…第１係合部、５２ｖ…段差部、５２ｘ…内面、５４…第２係合部、５５…第３係合部、６０…ミドル部材、６０ａ…第１側面、６０ｂ…第２側面、６０ｘ…第３サブ面、６０ｙ…第４サブ面、６０ｓ…位置決め部、６０ｃ…第３側面、６０ｄ…第４側面、６０ｅ…第５側面、６０ｆ…第６側面、６０ｖ…段差部、６１…第３収容部、６２…第４収容部、６３…連結部、７１…載置面、７２…第１凹部、７３…第２凹部、７４…第１被覆部、７５…第２被覆部、７６…第３凹部、７７…第４凹部、７８…底面、８０…トップ部材、８０ａ…第１側面、８０ｂ…第２側面、８０ｃ…第３側面、８０ｄ…第４側面、８０ｅ…第５側面、８１…第３被覆部、８２…第４被覆部、９１…底面、９２…第４係合部、９３…第５係合部、９４…突出部、９４ｘ…内面、１００…梱包品、１１０…本体部、１２０…突出部。
【図１】
2018030613.tif 000003
【図２】
2018030613.tif 000004
【図３】
2018030613.tif 000005
【図４】
2018030613.tif 000006
【図５】
2018030613.tif 000007
【図６】
2018030613.tif 000008
【図７】
2018030613.tif 000009
【図８】
2018030613.tif 000010
【図９】
2018030613.tif 000011
【図１０】
2018030613.tif 000012
【図１１】
2018030613.tif 000013
【図１２】
2018030613.tif 000014
【図１３】
2018030613.tif 000015
【図１４】
2018030613.tif 000016
【図１５】
2018030613.tif 000017
【図１６】
2018030613.tif 000018
【図１７】
2018030613.tif 000019
【図１８】
2018030613.tif 000020